Podtech/llm-jp-corpus-v4-ja_patent huggingface dataset:
(57)【要約】　　　（修正有）【課題】サムターン回しとピッキングを同時に防止できる低コストで工具等を使わずに簡単に設置可能な在宅時専用器具を提供する。【解決手段】考案本体板状柄２の下方中央部分に設けられた空洞部３をドア内側のハンドルレバー５に通し、ドア表面に密着させる際、サムターン錠施錠時の型抜きを施した底部６を持つ考案本体上部円錐状キャップ部４をサムターン錠１に被せることにより、ハンドルレバー５との接点と円錐状キャップ部４内部のサムターンつまみ型凹部７の２箇所にてサムターン錠１の回転を抑制し、外部からのピッキング等による錠の回転を不可能とする。同時に円錐状キャップ部４を被せることによりサムターン回しを抑止する。【選択図】図１
0003096897.tif 000002
【実用新案登録請求の範囲】
【請求項１】
考案本体板状柄（２）の下方中央部分にドア内側のハンドルレバー（５）に通す為の空洞部（３）を設け、考案本体板状柄（２）の上方部にサムターン錠施錠時の型抜きを施した底部（６）を持つ円錐状キャップ部（４）からなる構造を有するサムターン回し及びピッキングを抑止する在宅中不正開錠防止器具。
【考案の詳細な説明】
【０００１】
【考案の属する技術分野】本考案は在宅中のサムターン回し及びピッキング等による不正開錠を防止する為の器具に関するものである。
【０００２】
【従来の技術】従来、取り付けに手間を要する鍵本体の交換やドア外部には高価なピッキング防止器具、内部にはサムターン回し防止器具を必要とし、しかもこれら機能を同時に満たす防犯器具はなかった。
【０００３】
【考案が解決しようとする課題】サムターン回しとピッキングを同時に防止できる低コストで工具等を使わずに簡単に設置可能な在宅時専用器具を提供する。
【０００４】
【課題を解決するための手段】考案本体板状柄（２）の下方中央部分に設けられた空洞部（３）をドア内側のハンドルレバー（５）に通し、ドア表面に密着させる際、サムターン錠施錠時の型抜きを施した底部（６）を持つ考案本体上部円錐状キャップ部（４）をサムターン錠（１）に被せることにより、ハンドルレバー（５）との接点と円錐状キャップ部（４）内部のサムターンつまみ型凹部（７）の２箇所にてサムターン錠（１）の回転を抑制し、外部からのピッキング等による錠の回転を不可能とする。同時に円錐状キャップ部（４）を被せることによりサムターン回しを抑止する。
【０００５】
【実施例】プラスチック、ＡＢＳ樹脂、硬質ゴム、アルミ素材等の軽くて丈夫な素材を用い、ある程度の厚みのある板状柄（２）部分をつくり、その下方中央部分にドア内側のハンドルレバー（５）が通せる程の空洞部（３）を設ける。板状柄（２）部分上方部にはサムターン錠施錠時の型抜きを施した底部（６）を持つ円錐状キャップ部（４）を有する構造とする。又、板状柄（２）部分と円錐状キャップ部（４）それぞれのドアとの接地面には密着性を高める為に磁石を埋め込む。使用する際は、考案本体板状柄（２）の下方中央部分の空洞部（３）をドア内側のハンドルレバー（５）に通し、サムターン錠施錠時の型抜きを施した底部（６）を持つ考案本体上部円錐状キャップ部（４）をサムターン錠（１）に被せドア表面に密着させる。磁石の作用で一層ドア表面との密着性が高まる。ハンドルレバー（５）との接点と円錐状キャップ部（４）内部のサムターンつまみ型凹部（７）の２箇所にてサムターン錠（１）の回転を抑制し、外部からのピッキング等による錠の回転を不可能とする。同時に円錐状キャップ部（４）を被せることによりサムターン回しを抑止する。
【０００６】
【考案の効果】高価な防犯器具や取り付け工事等を一切必要としない、簡単、低コストでサムターン回し、ピッキング等の不正開錠を同時に防止し在宅時の安全性を高めることができる。
【図面の簡単な説明】
【図１】本考案をサムターン錠（１）に取り付ける状態を示した斜視図である。
【図２】本考案の正面斜視図である。
【図３】本考案の側面斜視図である。
【符号の説明】
１．サムターン錠
２．本体板状柄
３．空洞部分
４．円錐状キャップ部
５．ハンドルレバー
６．サムターン錠施錠時の
型抜きを施した底部
７．サムターン錠つまみ
型凹部
【図１】
0003096897.tif 000003
【図２】
0003096897.tif 000004
【図３】
0003096897.tif 000005
(57)【要約】　　　（修正有）【課題】本考案は観賞用植物容器に関し、特に植物の植え付けに適した植物容器に関する。【解決手段】容器１の底部に固定具４を取り付け、固定具に植物２を固定してから培地３を入れることを特徴とする。【選択図】　　　図１
0003096896.tif 000002
【実用新案登録請求の範囲】
【請求項１】
容器の底部に固定具を取り付け、固定具に植物を固定してから、容器に培地を入れることにより、口の狭い容器や大きな植物を効率的に、容易に植え付けることのできる技術。
【考案の詳細な説明】
【０００１】
【考案の属する技術分野】
本発明は観賞用植物容器に関し、特に植物の植え付け方法に関する。
【０００２】
【従来の技術】
従来から容器内に植物を植え付け、観賞する製品が製作されている。植物の植え付け方法として、培地を容器内に入れた後に、培地に比較的小さい植物を植え付けていた。
【０００３】
【考案が解決しようとする課題】
上述した従来の方法では、植物が不安定であるので、大きな植物の植え付けが困難である。また、植え付け後に容器を動かすと、植物が傾くという欠点がある。
【０００４】
【課題を解決するための手段】
本考案は、容器の底部に固定具を取り付け、その固定具に植物を固定してから培地を入れることを特徴とする。
【０００５】
【考案の実施の形態】
次に、本考案について図面を参照して説明する。
【０００６】
第１図は本発明の第１の実施例の断面図である。第１図は、容器の底部に取り付けれられた針型固定具に、植物の茎を直接刺し、固定させている。第２図は、茎が細い植物を固定する実施例の断面図である。茎の細い植物を、直接、針型固定具に刺して固定することは困難であるので、固定補助として、茎に脱脂綿を巻き、その脱脂綿を針型固定具に刺すことで、植物が固定される。第３図は、器型固定具を用いた実施例の断面図である。容器の底部に取り付けれられた器型固定具に、植物の茎を挿し込むことで、様々な種類の植物を固定することが可能となる。固定具と植物が固定されているので、観賞用植物容器の製作が容易に、効率的に行える。
【０００７】
【考案の効果】
以上説明したように、本考案では植物が固定されることにより、植え付け後に培地を入れても植物が動くことがないので、製品の製作がより容易に、より効率的に行うことができる。また、植物を固定することで、従来より大きい植物を植え付けることが可能となり、容器に植え付け後の植物の育成期間が短縮され、短期間での製作が可能となる。
【図面の簡単な説明】
【図１】本考案による観賞用植物容器への植物の植え付け方法の第一の実施例を示した断面図である。
【図２】本考案による観賞用植物容器への植物の植え付け方法の第二の実施例を示した断面図である。
【図３】本考案による観賞用植物容器への植物の植え付け方法の第三の実施例を示した断面図である。
【符号の説明】
１　容器
２　植物
３　培地
４　針型固定具
５　脱脂綿
６　器型固定具
７　栓
【図１】
0003096896.tif 000003
【図２】
0003096896.tif 000004
【図３】
0003096896.tif 000005
【手続補正書】
【提出日】平成15年5月13日(2003.5.13)
【手続補正１】
【補正対象書類名】明細書
【補正対象項目名】実用新案登録請求の範囲
【補正方法】変更
【補正の内容】
【実用新案登録請求の範囲】
【請求項１】
容器の底部に固定具を取り付け、それに植物を固定してから容器に培地を入れて作る観賞用植物容器。
(57)【要約】【課題】今迄のゴム手袋は、厚手の衣類を身に付けた場合、指の先から手首迄しか上がらず水仕事等で袖を濡らす事が多かった。そこで肘の付近まで衣類をカバーでき、同時に汗等で手とゴム手袋が密着した場合、簡単に外せるゴム手袋の開発が求められていた。【解決手段】本考案はゴム手袋の裾を広げる事で厚みのある衣服の上からでも身に付け、さらにマジックテープを付ける事で衣服の袖の膨らみに合わせ、余った部分を折り曲げ、袖にピッタリ合わせ止める事ができ、さらに汗等で手と密着したゴム手袋を、マジックテープを外し裾を広げ、裾から空気を入りやすくする事で簡単に取り外しができ、課題を解決することができる。【選択図】図１
0003096870.tif 000002
【実用新案登録請求の範囲】
【請求項１】
（１）ゴム手袋の裾を広げ、厚手の洋服の袖の上からでも容易に身に着ける事ができると共に、ゴム手袋の裾の部分を折り曲げ、袖の膨らみに合わせマジックテープで止める事を特徴とする裾広マジックテープ付ゴム手袋である。
【考案の詳細な説明】
【０００１】
【考案の属する技術分野】
本考案はゴム手袋の裾を広げる事で簡単に着脱でき、さらにマジックテープでゴム手袋の裾を袖回りに合わせて止める裾広マジックテープ付ゴム手袋に関するものである。
【０００２】
【従来の技術】
ジャンパー等厚手の袖の上からでは使用ができなかった。又、汗等で手とゴム手袋が密着した場合、取り外しに時間がかかった。
【０００３】
【考案が解決しようとする課題】
厚手の衣服を身につけていても簡単に着脱できると共に汗等で手とゴム手袋が密着した場合でも簡単に取り外しができる。
【０００４】
【課題を解決するための手段】
ゴム手袋の裾を広げる事で、厚手の洋服の上からでも容易に身に着ける事ができると共に袖の膨らみに合わせマジックテープで手袋の裾をしっかり止める事ができ、さらにマジックテープを外し、広がった裾から空気が入る事で汗等で手と密着した場合でもゴム手袋の取り外しが簡単にできる事で問題を解決している。
【００５】
【考案の実施形態】
図Ａはゴム手袋の小指の下の手首付近から肘にかけ三角形の形に裾を広げ図Ｂのマジックテープを付ける事で、着ている衣服の袖口の膨らみに合わせ、三角形に広げた裾を折り曲げマジックテープで止める。
【０００６】
【考案の効果】
本考案の裾広マジックテープ付ゴム手袋はゴム手袋の裾を小指の下の手首から三角形に広げる事で衣類の厚さに関係なく容易に身につけ三角に広がった裾を袖回りに合わせマジックテープでしっかり止める事で、袖口や手を汚す事なく目的を果たすのに役立つ。
【図面の簡単な説明】
【図１】本考案の正面図である。
【符号の説明】
１　裾広ゴム手袋　　　Ａ
２　マジックテープ　　Ｂ
【図１】
0003096870.tif 000003
【手続補正書】
【提出日】平成15年2月19日(2003.2.19)
【手続補正１】
【補正対象書類名】明細書
【補正対象項目名】全文
【補正方法】変更
【補正の内容】
【考案の詳細な説明】
【実用新案登録請求の範囲】
【請求項１】ゴム手袋の裾を広げ、厚手の洋服の袖の上からでも容易に身に着ける事ができると共に、面ファスナーによりゴム手袋の裾の部分を折り曲げ、袖の膨らみに合わせて止める事を特徴とする。
【考案の詳細な説明】
【０００１】
【考案の属する技術分野】
本考案はゴム手袋の裾を広げる事で簡単に着脱でき、さらに面ファスナーでゴム手袋の裾を袖回りに合わせて止めることができる。
【０００２】
【従来の技術】
ジャンパー等厚手の袖の上からでは使用ができなかった。又、汗等で手とゴム手袋が密着した場合、取り外しに時間がかかった。
【０００３】
【考案が解決しようとする課題】
どのような衣類をを身につけていても簡単に着脱できる。
【０００４】
【課題を解決するための手段】
ゴム手袋の裾を広げる事で、どのような衣類の上からでも装着が可能になった。さらに面ファスナーで手袋の裾をしっかり止める事で問題を解決している。
【００５】
【考案の実施形態】
ゴム手袋の小指の下の手首付近から肘にかけ三角形の形に裾を広げ、面ファスナーを付ける事で、着ている衣服の袖口の膨らみに合わせ、三角形に広げた裾を折り曲げ面ファスナーで止める。
【０００６】
【実施例】
ジャンパー等の厚手の衣類を身につけ裾広面ファスナー付ゴム手袋を身につけ清掃等を行う。
【考案の効果】
本考案の裾広面ファスナー付ゴム手袋はゴム手袋の裾を小指の下の手首から三角形に広げる事で衣類の厚さに関係なく容易に身につけ三角に広がった裾を袖回りに合わせ面ファスナーでしっかり止める事で、袖口や手を汚す事なく目的を果たすのに役立つ。
【図面の簡単な説明】
【図１】本考案の正面図である。
【符号の説明】
１　裾広ゴム手袋　　　Ａ
２　面ファスナー　　　Ｂ
【手続補正書】
【提出日】平成15年5月14日(2003.5.14)
【手続補正１】
【補正対象書類名】明細書
【補正対象項目名】全文
【補正方法】変更
【補正の内容】
【考案の詳細な説明】
【実用新案登録請求の範囲】
【請求項１】ゴム手袋の裾を広げ、厚手の洋服の袖の上からでも容易に身に着ける事ができると共に、面ファスナーによりゴム手袋の裾の部分を折り曲げ、袖の膨らみに合わせ面ファスナーで止める事を特徴とする裾広面ファスナー付きゴム手袋である。
【考案の詳細な説明】
【０００１】
【考案の属する技術分野】
本考案はゴム手袋の裾を広げる事で簡単に着脱でき、さらに面ファスナーでゴム手袋の裾を袖回りに合わせて止める裾広面ファスナー付きゴム手袋に関するものである。
【０００２】
【従来の技術】
ジャンパー等厚手の袖の上からでは使用ができなかった。又、汗等で手とゴム手袋が密着した場合、取り外しに時間がかかった。
【０００３】
【考案が解決しようとする課題】
厚手の衣服を身につけていても簡単に着脱できると共に汗等で手とゴム手袋が密着した場合でも簡単に取り外しができる。
【０００４】
【課題を解決するための手段】
ゴム手袋の裾を広げる事で、厚手の洋服の上からでも容易に身に着ける事ができると共に袖の膨らみに合わせ面ファスナーで手袋の裾をしっかり止める事ができ、さらに面ファスナーを外し、広がった裾から空気が入る事で汗等で手と密着した場合でもゴム手袋の取り外しが簡単にできる事で問題を解決している。
【００５】
【考案の実施形態】
図Ａはゴム手袋の小指の下の手首付近から肘にかけ三角形の形に裾を広げ、図Ｂの面ファスナーを付ける事で、着ている衣服の袖口の膨らみに合わせ、三角形に広げた裾を折り曲げ面ファスナーで止める。
【０００６】
【考案の効果】
本考案の裾広面ファスナー付きゴム手袋はゴム手袋の裾を小指の下の手首から三角形に広げる事で衣類の厚さに関係なく容易に身につけ三角に広がった裾を袖回りに合わせ面ファスナーでしっかり止める事で、袖口や手を汚す事なく目的を果たすのに役立つ。
【図面の簡単な説明】
【図１】本考案の正面図である。
【符号の説明】
１　裾広ゴム手袋　　　Ａ
２　面ファスナー　　　Ｂ
(57)【要約】　　　（修正有）醤油差しの後引き垂れによる、他物を汚す欠点を除くこと。【解決手段】差し口の下部に受け溝を付け、受け溝の底部に容器内に通じる穴を付け、穴から管を容器内の、差し口の背面側まで付ける。また、受け溝の背面側の容器に穴を付け、受け溝と穴を容器の外側を迂回して、溝（管でもよい）でつなぐ方法であり、いずれも差し口から垂れた醤油を受け溝で受け、穴を通して容器内に回収する構成である。使用に当たっては、醤油を差すため容器を傾ける、この時容器内の液面も傾き穴位置は液面上となり、差し口の背面側の穴から逆流する事はない。【選択図】図１
0003096869.tif 000002
【実用新案登録請求の範囲】
【請求項１】
（イ）容器の差し口から醤油の後引き垂れを受ける、受け溝から、溝（管）を通し容器内に戻す、穴までに関するものである。
（ロ）油、薬品、調味料、茶水差しの、差し口からの後引きで垂れた液を受ける溝から、溝（管）を通し容器内に戻す、穴までに関するものである。
【考案の詳細な説明】
この考案は醤油差し容器の差し口から、醤油の後引き垂れによる、容器の外面及び置き場等の、醤油の付着汚れをなくすものである。
従来の醤油差し容器は、差し口からの醤油の後引きによって、容器の外面に醤油が垂れて、手や衣服、テーブル等をよごしていた。
本案は、その欠点を除くために考案したものである。
図面について説明すると
（１）第１図・第３図は、受け溝▲２▼から穴▲３▼を通し管▲５▼で、容器内に戻す方法。
（イ）従来の醤油差し容器の、差し口▲１▼の下部に、後引きで垂れた醤油を、受ける、受け溝▲２▼を作る。
（ロ）受け溝▲２▼の底部に、容器内に通じる穴▲３▼を作る。
（ハ）穴▲３▼に管▲５▼をつなぎ、差し口▲１▼の背面側まで勾配を付けて伸ばす。
（２）第２図。第４図は受け溝▲２▼から、溝（管）▲４▼で容器外面を迂回し、穴▲３▼から容器内に戻す方法。
（イ）従来の醤油差し容器の、差し口▲１▼の下部に、後引きで垂れた醤油を、受ける、受け溝▲２▼を作る。
（ロ）差し口▲１▼の背面側に、容器内に通じる穴▲３▼を作る。
（ハ）受け溝▲２▼と穴▲３▼を、溝（管）▲４▼で勾配を付けてつなぐ。
（３）第１図・第２図は容器一体型を示し、第２図・第３図はキャツプ型を示した。
使用法
容器の差し口から、醤油が出るように容器を傾ける、この時容器内の醤油液上面は、醤油を容器内に戻す穴より下にあり、穴から受け溝の方に醤油が出ること無い、差し口から垂れた醤油は、差し口下の受け溝に一旦溜まり、容器を立てにすれば、醤油は溝（管）を通って容器内に戻る。
【図面の簡単な説明】
第１図・第２図・第３図・第４図は本考案の斜視図、一部断面図である。図中の▲１▼は差し口、▲２▼は受け溝、▲３▼は穴、▲４▼は溝、▲５▼は管、▲６▼はネジ、▲７▼は蓋である。
【図１】
0003096869.tif 000003
【図２】
0003096869.tif 000004
【図３】
0003096869.tif 000005
【図４】
0003096869.tif 000006
【手続補正書】
【提出日】平成15年1月10日(2003.1.10)
【手続補正１】
【補正対象書類名】明細書
【補正対象項目名】実用新案登録請求の範囲
【補正方法】変更
【補正の内容】
【実用新案登録請求の範囲】
【請求項１】
・醤油差し容器の差し口の下部に、堰堤形又は、猛禽類の下くちばし形状の後引き垂れを受ける、受け溝を付る。
・容器に、容器内に通じる、回収用の円形状の穴を付ける。
受け溝から、穴を通して容器内に回収する方法に二つありその１は、受け溝の底部に容器内に通じる穴を付け、穴にストロー形状の管を付け、管の出口を容器内の差し口の背面側に出す。
その２は、容器内に通じる穴の位置を、差し口の背面側に付け、受け溝、から容器外面を迂回して、穴まで堰堤状の溝（管でもよい）でつなぐ。
・受け溝、穴の出口間に勾配（穴側を低く）を付けてつなぐ。
以上の構成からなる醤油差し。
【手続補正２】
【補正対象書類名】明細書
【補正対象項目名】図面の簡単な説明
【補正方法】変更
【補正の内容】
【図面の簡単な説明】
【図１】斜視図、一部透視図
【図２】斜視図、一部透視図
【図３】斜視図、一部透視、断面図
【図４】斜視図、一部透視、断面図
【符号の説明】
・【図１】、【図２】は容器全体図で図中の、▲１▼は差し口、▲２▼は受け溝▲３▼は穴、▲４▼は溝【図２】のみ、▲５▼は管【図１】のみ、▲７▼は蓋を示す。
・【図３】、【図４】は容器のキャップ部の図で図中の、▲１▼は差し口、▲２▼は受け溝、▲３▼は穴、▲４▼は溝
【図４】のみ、▲５▼は管【図３】のみ有りを示す。




【手続補正書】
【提出日】平成15年3月25日(2003.3.25)
【手続補正１】
【補正対象書類名】明細書
【補正対象項目名】実用新案登録請求の範囲
【補正方法】変更
【補正の内容】
【実用新案登録請求の範囲】
【請求項１】
・醤油差し容器の差し口下部に、堰堤形又は、猛禽類の下くちばし形状の後式引き垂れを受ける、受け溝を付ける。・容器に容器内に通じる、回収用の円形状の穴を付ける。受け溝から、穴を通して容器内に回収する方法に二つありその１は、受け溝の底部に容器内に通じる穴を付け、穴にストロー形状の管を付け、管の出口を容器内の差し口の背面側に出す。その２は、容器内に通じる穴の位置を、差し口の背面側に付け受け溝から、容器の外面を迂回して、穴まで堰堤状の溝、又は管路でつなぐ、前記その１或いはその２の構成の何れか一方を有する。・受け溝と容器内に通じる穴の出口間には、穴の出口側が低くなるように勾配を付ける。以上の構成からなる醤油差しである。
(57)【要約】【課題】この考案は近年増加し続けている金庫、ＡＴＭ、自動販売機、パソコン、等の盗難や持ち出しを抑止しようとするものである。【解決の手段】傾斜スイッチ、断線警報回路、装置の取り外し警報回路、衝撃センサー、電波送信回路、電源スイッチ、受信警報装置により、安価で取り付けが簡単で十分にその効果が期待できるよう工夫された盗難防止装置である。【選択図】　　　　　　　図３
0003096865.tif 000002
【実用新案登録請求の範囲】
【請求項１】
傾斜スイッチとセンサーユニットと警報ユニットからなり、傾斜スイッチとセンサーユニットを金庫等に取りつけ、電源スイッチを入れたあと、金庫等を傾斜させるか、傾斜スイッチの信号線を切断するか、センサーユニットを取り外すかすることによりセンサーユニットから電波が発信され、近くに設置している警報ユニットから大音響の威嚇音を発生する仕組みの盗難防止器。
【請求項２】
傾斜スイッチとセンサーユニットと警報ユニットからなり、傾斜スイッチとセンサーユニットを金庫等にとりつけ、電源スイッチを入れたあと、金庫等を傾斜させるか、傾斜スイッチの信号線を切断するか、センサーユニットを取り外すか、金庫等に衝撃を与えるかにより、センサーユニットから電波が発信され、近くに設置している警報ユニットから大音響の威嚇音を発生する仕組みの盗難防止器。
【考案の詳細な説明】
【０００１】
【産業上の利用分野】
近年、金庫、ＡＴＭ等の盗難は増え続けており、方法も金庫等の鍵をピッキングで開けたり、バール等でこじ開けるだけでなく、複数の人数で短時間に金庫等そのものを持っていき、警備保障会社が通報で駆けつけ時には、逃げられた後というケースが多く、犯行は大胆かつ強引になってきている。損保会社は掛け金を大幅に上げなければ対応できない状態のようである。
この考案は大小各種の金庫、ＡＴＭ、自動販売機、お賽銭箱や大切なデータの入ったパソコン、高価な絵画等の重要物に取り付け、盗まれたり無断で持ち出されるのを抑止するものである。
【０００２】
【従来の技術】
従来より、盗難防止用金庫はあるが構造上特別に丈夫に作られたり、鍵を工夫したり、または金庫等を動かなくするためにコンクリートで固定していた。
また、警報付のものもあるが金庫内に専門の業者が時間をかけて取り付けるもので一般の人にはあまり使われていない。
また、振動や傾斜で音を出すものを貼り付けたりする方法もあるが、それらは犯人に容易に破壊されたり取り外され、音が出ると警報器を布等で覆って音を小さくされてプロの泥棒にはあまり効果は期待できない。
【０００３】
【考案が解決しようとしている課題】
本案は小型軽量で、どんな大きさの金庫等の重要物にも誰でも簡単に取り付けができるもので、犯人が金庫等を持ち去ろうとすると傾斜スイッチが働き、防犯装置を取りはずそうとすると取り外し防止用リミットスイッチが働き、傾斜スイッチの信号線を切ると断線回路が働き、叩き壊そうとすると衝撃センサーが働きアラームを鳴らす電波が発信される。警報ユニットは犯人の手の届かない位置に設置すれば容易に警報をとめることはできない。複数の警報ユニットを設置することができるから設置する位置を工夫すれば更に警報を止めることは困難となる。この装置はこのようにプロの泥棒でも警報機を作動させずに短時間で犯行を実行することはきわめて難しく犯行を未然に防ぐことが期待できる。
【０００４】
【課題を解決するための手段】
すなわち犯人が金庫等の重要物を約１０度から２０度程度傾斜させると，傾斜スイッチが働き、誤作動防止のため設定した時間（約０〜５秒）経過後、センサーユニットから電波を発信し警報ユニットから大音響の警報がでて犯人を威嚇するものである。
また、犯人が傾斜スイッチの信号線を切断したり、センサーユニットを取り外そうとすると、断線警報回路が働き、センサーユニットから電波を発信し受信機内臓の警報ユニットから大音響の警報が出て犯人を威嚇するものである。
また、犯人がセンサーユニットを壊そうとして叩くと内蔵されている衝撃センサーが働き、即座に電波を発信し警報ユニットの警報を作動させる。センサーユニットは丈夫な材質で堅牢な構造になっており、容易に壊れない。
警報ユニットはセンサーユニットからの電波が十分届く位置で、かつ犯人を十分威嚇できる位置で、かつ犯人が容易に警報音をとめることができないような位置（たとえば天井等）に設置される。
複数個設置して同時に警報を発生させると更に威嚇効果は期待でき犯行を未遂に終わらせることができる。
センサーユニットの電源スイッチは簡単に切ることができないキースイッチや暗証番号式のスイッチが望ましい。
また、警報ユニットに中継送信機や電話通報装置や携帯電話を接続して離れた場所にいる人に連絡することもできる。
【０００５】
【考案の効果】
本装置は比較的安価なコストで大小各種の形状の金庫やＡＴＭ、自動販売機、絵画、パソコン、お賽銭箱等の重要物に簡単に取り付けができ、盗難や無断持ち出しを未然に抑止することができる。
【図面の簡単な説明】
【図１】本考案の使用イメージ図である。
【図２】本考案の外観図と取り付け例の図である。
【図３】本考案のブロック図である。
【図１】
0003096865.tif 000003
【図２】
0003096865.tif 000004
【図３】
0003096865.tif 000005
(57)【要約】　　　（修正有）【課題】従来は支持具本体の角度が固定で角度が変えられなかったので角度を変えられる様にした、釣り竿受けの角度が変えられる、釣り竿と釣り糸の保護、防波堤での釣りで支持具本体のずれを無くした。【解決手段】本考案は支持具本体１を蝶つがい２でつないで色々な角度の防波堤に合せられる、支持具本体１と釣り竿受け３を蝶つがい２でつないで角度が調整ネジで変えられる、釣り竿受けの表面がゴムで釣り竿及び釣り糸を保護する、支持具本体をゴム作り防波堤での釣りで本体のずれを無くし風で釣り竿が倒れるのを防いだ。【選択図】図１
0003096868.tif 000002
【実用新案登録請求の範囲】
【請求項１】
支持具本体の角度が１８０度折れ曲がり色々な角度の防波堤に合せられる。
【請求項２】
釣り竿受けの角度が調整ネジで出来る。
【請求項３】
釣り竿受けは表面がゴムで、釣り竿及び釣り糸の保護する。
【考案の詳細な説明】
【０００１】
支持具本体を蝶つがいでつないで色々な角度に変えられる。
【０００２】
支持具本体をに折り畳んで使用できる。
【０００３】
支持具本体をゴムで作り防波堤での釣りで本体のずれを無くし釣り竿が風で倒れるのを防ぐ。
【０００４】
支持具本体と釣り竿受けを蝶つがいでつないで釣り竿受けの角度を調整ネジ変えられる。
【図面の簡単な説明】
【図１】支持具本体の斜視図である。
【図２】支持具本体の折り畳んだ図である。
【図３】釣り竿受けの拡大図である。
【図４】防波堤の上での使用状態図。
【図５】クーラーＢＯＸの上での使用状態図。
【図６】釣り公園などのにある角パイプの手摺の上での使用状態図。
【符号の説明】
１支持具本体
２蝶つがい
３釣り竿受け
４釣り竿受け角度調整ネジ
５釣り竿
６釣り糸
７海
８防波堤
９岸壁
１０クーラーＢＯＸ
１１角パイプの手摺
【図１】
0003096868.tif 000003
【図２】
0003096868.tif 000004
【図３】
0003096868.tif 000005
【図４】
0003096868.tif 000006
【図５】
0003096868.tif 000007
【図６】
0003096868.tif 000008
【手続補正書】
【提出日】平成15年1月15日(2003.1.15)
【手続補正１】
【補正対象書類名】明細書
【補正対象項目名】実用新案登録請求の範囲
【補正方法】変更
【補正の内容】
【実用新案登録請求の範囲】
【請求項１】
支持具本体の角度が１８０度折れ曲がり色々な角度の防波堤に合せられる、釣り竿の支持具。
【請求項２】
釣り竿受けの角度が調整ネジで出来る、釣り竿の支持具。
【請求項３】
釣り竿受けは表面がゴムで、釣り竿及び釣り糸の保護する釣り竿の支持具。
【手続補正書】
【提出日】平成15年4月14日(2003.4.14)
【手続補正１】
【補正対象書類名】明細書
【補正対象項目名】実用新案登録請求の範囲
【補正方法】変更
【補正の内容】
【実用新案登録請求の範囲】
【請求項１】
支持具本体に釣竿受けを蝶つがいでつないだ釣竿支持具。
【請求項２】
角度調節ネジを有する請求項１記載の釣竿支持具。
【請求項３】
釣竿受けは表面がゴムとした請求項１記載の釣竿支持具。
(57)【要約】【課題】スリッパ底は、履いているうちに次第に汚れてきて不潔になりやすいので、簡単に新しいものと取り替えができる底シートをスリッパ底に装着して、スリッパ底がいつまでもきれいな状態を保てるようにする。【解決手段】スリッパ底２とスリッパ縁３の間に隙間４を設けて、底シートの縁６を隙間４に差し込んで、スリッパ底２と底シート５が密着して外れないようにする。【選択図】　図３【実用新案登録請求の範囲】
【請求項１】
スリッパ底２とスリッパ縁３の間に隙間４を設けて、底シート５を装着するようにした底シート装着式スリッパ。
【考案の詳細な説明】
【０００１】
【考案の属する技術分野】
本考案は、スリッパ底に底シートを装着して、スリッパ底の汚れを防ぐ方法に関するものである。
【０００２】
【従来の技術】
従来は、スリッパ底に、簡単に着脱できる底シートなどを装着するスリッパはなかった。
【０００３】
【考案が解決しようとする課題】
スリッパ底は、履いているうちに次第に汚れてきて不潔になりやすいので、簡単に取り替えができる底シートをスリッパ底に装着して、その不潔さを解消しようとするものである。
【０００４】
【課題を解決するための手段】
スリッパ底２とスリッパ縁３の間に隙間４を設けて、底シートの縁６を隙間４に差し込んで、スリッパ底２と底シート５が密着して外れないようにする。
【０００５】
【考案の実施の形態】
本案は、以上のような構造であるから、スリッパ底２に底シート５を装着し、履いているうちに底シート５が汚れてきたら、簡単に何度でも新しいものと取り替えることができる。
【０００６】
【考案の効果】
したがって、スリッパ底２に底シート５を装着すれば、汚れて不潔になりやすいスリッパ底２は、いつまでもきれいな状態を保つことができる。
又、この考案は、上履用の靴等にも応用できるので、その利用価値は大きい。
【図面の簡単な説明】
【図１】本考案の底面図である。
【図２】本考案の断面図である
【図３】本考案の使用状態を示す断面図である。
【符号の説明】
１　　スリッパ本体
２　　スリッパ底
３　　スリッパ縁
４　　隙間
５　　底シート
６　　底シートの縁
【図１】
0003096866.tif 000002
【図２】
0003096866.tif 000003
【図３】
0003096866.tif 000004
(57)【要約】　　　（修正有）【課題】水道水を使用しないで廃水を使用する。【解決手段】風呂や洗濯の廃水を浴槽や容器に入れ、ロータンク５より低位置に設置した、ローリータンク１へ家庭用バスポンプで送水する。ロータンク５の水が吐水されて水位が下がれば、下がった浮子と連動して動くアーム７の先端に取り付けられた車が、タンブラスイッチ９のＯＮ側を押えることにより、ローリータンク１内の水中ポンプが作動して、ローリータンク内の水がロータンク５へ給水される。ロータンク５内の定位置まで水が溜れば、上がった浮子と連動して動くアーム７の先端に取り付けられた車が、タンブラスイツチ９のＯＦＦ側を押すことにより、ポンプが停止して給水は終わる。【選択図】図１
0003096878.tif 000002
【実用新案登録請求の範囲】
【請求項１】
浮子の上下運動を利用して入、切するタンブラスイッチ。
【考案の詳細な説明】
【０００１】
【考案の属する技術分野】
本考案は、水洗トイレに係るものであり、詳しくは、風呂や洗濯の廃水を利用した水洗トイレに関するものである。
【０００２】
【従来の技術】
従来の水洗トイレは、水道水が使用され、給水や止水にはボールタップが使用されていたために、圧力の低い廃水の利用ができなかつた。
【０００３】
【考案が解決しようとする課題】
従来、水洗トイレには、飲料水である水道水が使用されていたために、上、下水道代の支出が多額となって家計に影響を与えていた。また、飲料水になるように浄化処理された水道水をトイレに使用するという無駄があった。
【０００４】
【課題を解決するための手段】
水洗トイレには、水道水を使用しないで、風呂や洗濯の廃水を使用する。
【０００５】
【考案の実施の形態】
ローリータンク内の廃水を、バスポンプを使用してロータンクへ給水する。
【０００６】
【実施例】
上記目的を達成するために、風呂や洗濯の廃水を浴槽や容器に入れ、ロータンクより低位置に設置した、ローリータンクへ家庭用バスポンプで送水する。
【０００７】
ロータンクの水が吐水されて水位が下がれば、下がった浮子と連動して動くアームの先端に取り付けられた車が、タンブラスイッチのＯＮ側を押えることにより、ローリータンク内の水中ポンプが作動して、ローリータンク内の水がロータンクへ給水される。
【０００８】
そして、ロータンク内の定位置まで水が溜れば、上がった浮子と連動して動くアームの先端に取り付けられた車が、タンブラスイツチのＯＦＦ側を押すことにより、ポンプが停止して給水は終わる。
【０００９】
従来よりの水洗トイレに本考案の装置を設置する場合には、水道配管に止水バルブを設けて水を止める。
【００１０】
【考案の効果】
本考案は、上述のとおり構成されているので、水洗トイレに水道水を全く使用しないで、風呂や洗濯の廃水を利用したことにより、月間一人当たり約２ｍ３の水が節約になって、上下水道代の節約となり、又、水資源の節約に効果を奏した。
【図面の簡単な説明】
【図１】給水装置全体の断面図である。
【図２】浮子が下がって、スイッチがＯＮになつた状態を示す要部断面図である。
【図３】浮子が上がって、スイッチがＯＦＦになった状態を示す要部断面図である。
【符号の説明】
１　ローリータンク
２　水中ポンプ
３　ローリータンクへの廃水送水ホース
４　ロータンクへの給水ホース
５　ロータンク
６　浮子
７　アーム
８　車
９　タンブラスイッチ
１０　吐水弁
【図１】
0003096878.tif 000003
【図２】
0003096878.tif 000004
【図３】
0003096878.tif 000005
【手続補正書】
【提出日】平成15年4月15日(2003.4.15)
【手続補正１】
【補正対象書類名】明細書
【補正対象項目名】実用新案登録請求の範囲
【補正方法】変更
【補正の内容】
【実用新案登録請求の範囲】
【請求項１】
水洗トイレのロータンク（５）内の水が吐水されて水位が下がれば、ロータンク内の浮子（６）も下がり、浮子の棒に連結されたアーム（７）が傾斜することにより、アームの先端に取り付けた車（８）が、タンブラスイッチ（９）の押しボタンの入側を押えて水中ポンプを起動させてロータンクへ給水し、給水されて水位が上昇すれば浮子も上昇して、浮子の棒に連結されたアームが反対側に傾斜することにより、アームの先端に取り付けた車が、タンブラスイッチの押しボタンの切側を押えて水中ポンプを停止させるためのタンブラスイッチ
(57)【要約】　　　（修正有）【課題】（イ）コンロの上に鍋を置くだけであれば、不安定な為汁がこぼれ危険である。（ロ）風防ガードを使用しなければ火が消えたり、火が散ったりし熱効率が悪い本考案はこれらの欠点を除くためになされたものである。【解決する手段】吸気孔４、排気孔６を設け鍋底がコンロ２の排気孔よりも下にならない位置で鍋がはめ込めるように設定する。吸気孔はコンロの底に最も近い所に設ける。コンロ本体が風防ガードの役割を果たしている。【選択図】図１
0003096877.tif 000002
【実用新案登録請求の範囲】
【請求項１】
アルミ箔で成型したコンロと鍋のセット
【考案の詳細な説明】
【０００１】
〔考案の属する技術分野〕
この考案は、アルミ箔で成型したコンロと鍋を一対に使用するものである。
【０００２】
〔従来の技術〕
従来の携帯用セットはコンロの上に鍋を置だけで安全性に欠けている
又は、微風でも風防ガードを使用しなければ熱効率が悪い。
【０００３】
〔考案が解決しようとする課題〕
（イ）　　コンロの上に鍋を置だけであれば、不安定な為汁がこぼれ危険である。
（ロ）　　風防ガードを使用しなければ火が消えたり、火が散ったりし熱効率が悪い
本考案はこれらの欠点を除くためになされたものである。
【０００４】
〔課題の解決するための手段〕
図面について説明すれば〔図１〕の▲４▼吸気孔
▲６▼排気孔を設け鍋底がコンロの排気孔よりも下にならない位置で鍋がはめ込めるように設定する
▲４▼吸気孔はコンロの底に最も近い所に設ける
コンロ本体が風防ガードの役割を果たしている
【０００５】
〔考案の実施の形態〕
〔図２〕のようにセットする。
▲４▼吸気孔と▲６▼排気孔を設けている為、効率よく鍋底を熱する
はめ込み式になっている為傾く心配がなく安全である。
【０００６】
〔実施例〕
▲１▼鍋にダシと具材を入れ▲３▼固形燃料に着火する
【０００７】
〔考案の効果〕
本案は以上のような構造であるから、風防ガードを必要とせず熱効率がよく鍋がはめ込み式になっている為、食する時安全性が高く食しやすく又アルミ箔で成型してる為コンパクトに押し潰し廃棄する事が出来あらゆる場所で利用可能である。又分別する事で、アルミ箔はリサイクル可能である。
また形は円形でなく四角・長方形でも食しやすく成型しやすければよい。
【図面の簡単な説明】
【図１】本考案の分解斜視図である
【図２】本考案のコンロと鍋をセットした断面図である
【符号の説明】
（１）鍋謙食材収納スペース（２）コンロ　　　　　　　（３）固形燃料
（４）吸気孔　　　　　　　（５）食材収納スペース　　（６）排気孔
（７）底上げ部分　　　　　（８）熱逃がし
【図１】
0003096877.tif 000003
【手続補正書】
【提出日】平成15年4月16日(2003.4.16)
【手続補正１】
【補正対象書類名】明細書
【補正対象項目名】実用新案登録請求の範囲
【補正方法】変更
【補正の内容】
【実用新案登録請求の範囲】
【請求項１】
・アルミ箔で成形したコンロと鍋のセットであって、コンロには吸気孔と排気孔が設けられており、吸気孔はコンロの内底に最も近い所に設けられており、鍋がはめ込めるように設定され、コンロ本体が風防ガードの役割を果たしていることを特徴とする使い捨て携帯コンロ鍋セット。
【手続補正２】
【補正対象書類名】図面
【補正対象項目名】全図
【補正方法】変更
【補正の内容】
【図１】
0003096877.tif 000004
【図２】
0003096877.tif 000005
(57)【要約】　　　（修正有）【課題】従来の金魚ねぶたマスコットは、薄暗い所では目立たず華やかさと美しさに欠ける。そこで本考案は、光の演出で薄暗い所でも、更に華やかさと美しさを観賞できるようにするため、金魚ねぶたマスコット本体の中に発光体のＬＥＤ、又は豆電を球複数個入れ、光を発する内照式金魚ねぶたマスコットを提供する。【解決手段】金魚ねぶたマスコットの中に光りを発する発光体のＬＥＤ、又は豆電球を複数個内蔵した内照式金魚ねぶたマスコットであり、薄暗いところでもより華やかに美しく鑑賞することができる。【選択図】図１
0003096875.tif 000002
【実用新案登録請求の範囲】
【請求項１】
金魚ねぶたマスコットの中に、光りを発する発光体のＬＥＤ、又は豆電球を複数個内蔵したことを特徴とする。
【考案の詳細な説明】
【０００１】
【考案の属する技術分野】
本考案は、観光みやげ、室内装飾、アクセサリーに関する。
【０００２】
【従来の技術】
従来の金魚ねぶたマスコットは、針金に紙を貼った物や、ビニール製で空気で脹らます物はあったが、マスコットで内照式の物は存在しなかった。
【０００３】
【考案が解決しようとする課題】
しかしながら、このようなマスコットは暗いところでの観賞は目立たず、華やかさと美しさに欠ける。
【０００４】
そこで本考案は、華やかさと美しさを演出するために、金魚ねぶたマスコットの中に発光体のＬＥＤ、又は豆電球を複数個入れ、光を発するマスコットを提供するものである。
【０００５】
【課題を解決するための手段】
以下、本考案の課題を解決するための手段について説明する。尚、本考案の理解を容易にするために添付図面の参照符号を括弧書きにて付記するが、それにより本考案が図示の形態に限定されるものではない。まず請求項１の考案は、金魚ねぶたマスコットの中に光りを発する発光体のＬＥＤ、又は豆電球を複数個内蔵しことを特徴とする、内照式金魚ねぶたマスコットである。
【０００６】
【考案の実施の形態】
以下、本考案を添付図面に示す実施形態例に基づき、更に詳細に説明する。図１は本考案に係る内照式金魚ねぶたマスコット全体の斜視図、図２は本考案に係る発光体埋め込みの従断面図、図３は本考案に係る電源ボックスの斜視図である。
【０００７】
発光体のＬＥＤ又は豆電球（３）は、リード線（５）に結線されており、本体骨組み（２）に固定し、金魚ねぶた本体（１）の中に宙吊り状態で取り付けて有る。更に片方のリード線（５）は電源ボックス（４）に結線されいる。
【０００８】
電源ボックス（４）は、電子回路（９）、電池（８）、スイッチ（７）で構成する。
【０００９】
発光する仕組みは、スイッチ（７）の切替により発光体のＬＥＤ又は豆電球（３）を常時点灯、又は点滅させる。
【考案の効果】
【００１０】
以上、詳細に説明したように、本考案による内照式金魚ねぶたマスコットを使用することで、光の演出が出来るようになり、薄暗いところでもより華やかに美しく観賞することが出来る。
【図面の簡単な説明】
【図１】本考案に係る、内照式金魚ねぶたマスコットの全体の斜視図
【図２】本考案に係る、各要部を収める配置関係を示す縦断面図
【図３】本考案に係る、電源ボックスの構成を示す斜視図
【符号の説明】
（１）内照式金魚ねぶたマスコット本体
（２）本体骨組み
（３）発光体のＬＥＤ、又は豆電球
（４）電源ボックス
（５）リード線
（６）吸盤、又は取り付け金具
（７）電源スイッチ
（８）電池
（９）電子回路
【図１】
0003096875.tif 000003
【図２】
0003096875.tif 000004
【図３】
0003096875.tif 000005
【手続補正書】
【提出日】平成15年3月25日(2003.3.25)
【手続補正１】
【補正対象書類名】明細書
【補正対象項目名】実用新案登録請求の範囲
【補正方法】変更
【補正の内容】
【実用新案登録請求の範囲】
【請求項１】
金魚ねぶたマスコットの中に、光りを発する発光体のＬＥＤ、又は豆電球を複数個内蔵したことを特徴とする内照式金魚ねぶたマスコット。
(57)【要約】【課題】簡便かつ低コストの下に鳥類の飛来の防止を確実に実現する、鳥害防止装置を提供する。【解決手段】放射状に展開させた複数本の細線材を、その放射中心付近にて金具を介して結束し、この結束金具を建造物に対して固定するステンレス鋼ベルトを、結束金具に取り付ける。【選択図】　　　　図１
0003096824.tif 000002
【実用新案登録請求の範囲】
【請求項１】
建造物への鳥類の飛来を防止する装置であって、放射状に展開させた複数本の細線材を、その放射中心付近にて金具を介して結束し、この結束金具を建造物に対して固定するステンレス鋼ベルトを、結束金具に取り付けてなることを特徴とする放射型鳥害防止装置。
【請求項２】
細線材がポリエチレンテレフタレート製である請求項１に記載の放射型鳥害防止装置。
【考案の詳細な説明】
【０００１】
【考案の属する技術分野】
本考案は、例えば電柱や高圧送電鉄塔等の建造物に対する、鳥類の飛来を防止して、鳥類の巣作りや電線への接触事故を未然に回避するのに適した、放射型鳥害防止装置に関するものである。
【０００２】
【従来の技術】
送電に供する各種機器を取り付けるためのコンクリート柱や鉄塔などの設備においては、鳥類、中でもカラスによる送電事故が多発している。すなわち、これらの設備において、カラスが巣作りをする際に、その巣の材料に鉄線等の導体が混ざっていることから、材料の運搬中に鉄線が電線に触れたり、あるいはカラス自身が高圧電線に触れて、短絡をまねく事故が後を絶たない。
【０００３】
かような事故を回避するために、従来は、鳥類の飛来を防止する、種々の鳥害防止策が提案されている。
例えば、送電鉄塔を網で囲み、鳥が鉄塔内に進入しないようにしたり、有刺鉄線、針山、細線等の障害物を設置し、鳥が鉄塔に止まらないようにする、等の手段が採られている。
【０００４】
【考案が解決しようとする課題】
しかしながら、網を用いる手段は、比較的大きな設備に施工する際の労力や費用が嵩むところに問題があり、また網に穴があれば鳥の飛来を防止することが難しくなるため、施工後の保守点検は必須であり、維持費用も嵩むものであった。
【０００５】
一方、上記した種々の障害物は、固定構造であるため、その環境に鳥が慣れることによって、長期間にわたって鳥の飛来を回避することは難しく、また設置する場所によっては、その固定が難しいことも問題となっていた。
【０００６】
そこで、本考案の目的は、上述した諸問題を解消して、簡便かつ低コストの下に鳥類の飛来の防止を確実に実現する、鳥害防止装置を提供することにある。
【０００７】
【課題を解決するための手段】
考案者らは、鳥の飛来経路を確実に塞ぐことのできる安価な手段について鋭意究明した結果、本考案を導くに到った。
すなわち、本考案は、建造物への鳥類の飛来を防止する装置であって、放射状に展開させた複数本の細線材を、その放射中心付近にて金具を介して結束し、この結束金具を建造物に対して固定するステンレス鋼ベルトを、結束金具に取り付けてなることを特徴とする放射型鳥害防止装置である。
【０００８】
ここで、上記細線材が、ポリエチレンテレフタレート製であることが、安価な鳥害防止装置を提供する上で有利である。
【０００９】
【考案の実施の形態】
以下、図１および２を参照して、本考案の放射型鳥害防止装置について、具体的に説明する。なお、は鳥害防止装置の正面図であり、または鳥害防止装置の分解斜視図である。
本考案の鳥害防止装置は、放射状に展開させた複数本の細線材１を、その放射中心付近にて結束金具２を介して結束し、さらに、結束金具２を、建造物例えばコンクリート柱や送電鉄塔の支柱などに固定するためのステンレス鋼ベルト３を、この結束金具２に取り付けてなる。
【００１０】
すなわち、図２に詳細を示すように、複数本の細線材１は、結束金具２を構成するベース板２ａおよび押え板２ｂの間、つまり押え板２ｂの湾曲部内側においてベース板２ａおよび押え板２ｂ間に、細線材１の基端側が挟まれて、結束金具２によって結束される。なお、ベース板２ａに押え板２ｂを固定するには、例えばボルト留めが適している。
【００１１】
さらに、ベース板２ａは、例えばボルト４ａ（図３および４参照）を介して、取付金具４に回動可能に固定され、この取付金具４の穴４ａにステンレス鋼ベルト３の１本または複数本を通すことによって、結束金具２にステンレス鋼ベルト３を取り付けている。
【００１２】
ここで、細線材１は、物理的性質および耐久性に優れていることから、ポリエチレンテレフタレート製であることが好ましい。すなわち、ポリエチレンテレフタレート製の線材は、引張強さが大きいため、同線径の金属線（いわゆる針金）に比べて高強度が得られ、かつ紫外線劣化による強力低下も少ないため、コンクリート柱や送電鉄塔の支柱などの苛酷な環境下での使用に適している。
【００１３】
また、細線材２の本数および放射角度は、鳥害防止装置を設置する場所に応じて、適宜に調整すればよい。さらに、取付金具４に対する、細線材の束の取付角度は、ボルト４ａを緩めた状態にて適宜に変化させることができる。例えば、図３および４に示す、下向きに取り付ける形態を始め、横向きや上向き等、ボルト４ａを中心とする略１８０°にわたり、種々に変化させることができる。
【００１４】
以上の構成の鳥害防止装置は、例えば図３および４に、コンクリート柱５への設置を示すように、取付金具４の穴４ａに通したステンレス鋼ベルト３をコンクリート柱５に巻き付けて締結することによって、コンクリート柱５の所定位置に固定する。なお、ステンレス鋼ベルト３をコンクリート柱５に締結するには、ステンレス鋼ベルト３を、そこに付属させた一般的な締結金具を介して締結すればよい。
【００１５】
ここで、図３および４に示したコンクリート柱５は、配電機器などを設置するための腕金６が取り付けられており、この腕金６上の送電機器の設置されていない領域に、鳥を飛来させないことが肝要である。そこで、腕金６上への飛来を阻止するために、ここへ到る飛行経路上に、図示のように鳥害防止装置を配置する。すなわち、この鳥害防止装置は、在来のように鳥の飛来場所に設置するのではなく、そこに到る飛行経路上に、放射状に展開された複数本の細線材２を配置することが可能であり、鳥の飛来を確実に防ぐことができる。
【００１６】
【考案の効果】
本考案の鳥害防止装置は、在来のように鳥の飛来場所に設置するのではなく、そこに到る飛行経路上に、放射状に展開された複数本の細線材が配置されるから、鳥の飛来を確実に防ぐことができる。
【００１７】
また、本考案の鳥害防止装置によれば、その建造物への取り付けを、ステンレス鋼ベルトにて簡便に行うことができるため、その取り扱いは容易であり、高所での取り付け作業に有利に適合するものである。
【図面の簡単な説明】
【図１】本考案の鳥害防止装置の正面図である。
【図２】本考案の鳥害防止装置の分解斜視図である。
【図３】本考案の鳥害防止装置の取り付け例を示す斜視図である。
【図４】本考案の鳥害防止装置の取り付け例を示す側面図である。
【符号の説明】
１　細線材
２　結束金具
２ａ　ベース板
２ｂ　押え板
３　ステンレス鋼ベルト
４　取付金具
【図１】
0003096824.tif 000003
【図２】
0003096824.tif 000004
【図３】
0003096824.tif 000005
【図４】
0003096824.tif 000006
(57)【要約】【課題】トラック後端の追突を未然に防止すること。【解決手段】車体後端の倒立可能な垂直ゲートの先端に取付け可能なランプで、開閉ゲートを開くと点滅し、閉じると消灯するランプであること。【選択図】　　図１
0003096827.tif 000002
【実用新案登録請求の範囲】
【請求項１】
車体後端の倒立可能な垂直ゲートの先端に取付け可能なランプで、開閉ゲートを開くと点滅し、閉じると消灯するランプで、後方及び側方の追突防止警報装置。
【考案の詳細な説明】
【０００１】
【考案の属する技術分野】
本考案はトラック後端の垂直ゲートに後方及び側方から追突する事故を未然に防止することを目的に提案した追突防止警報装置に関するものである。
【０００２】
光源を後方及び側方に配置することにより、後方及び側方の警報を可能にした装置である。
【０００３】
【従来の技術】
従来は後方警報装置であったが、本装置は後方及び側方の警報を可能にした装置である。
【０００４】
【考案が解決しようとする課題】
本考案の課題は、トラックの後端の垂直ゲートに警報装置を設備し、後方及び側方からの追突を未然に防止する装置を得ること、又体後端の倒立可能な垂直ゲートを持合せた１２Ｖ車・２４Ｖ車の車輌全てに使用可能にしたものを提供することにある。
【０００５】
【課題を解決するための手段】
本考案の手段は次のとおりである。
【０００６】
車体後端の開閉が可能な垂直ゲートに角度検出装置を取り付け、電線にて接続されたランプを先端に取り付けることにより、開閉ゲートを開くと点滅し、閉じると消灯する機能を設ける。
【０００７】
【考案の実施の形態】
図１・図２は本考案の装置を示し、１は後方に設けられた開閉可能な垂直ゲートで、先端にランプ３を固定し、角度検出器内蔵点滅装置２を設け接続することにより、ゲートを閉じた状態で消灯し、開いた状態で点滅する。車体Ａが所定の場所に停止し、開閉可能な垂直ゲート１を図２のように開くとランプ３は昼夜問わず点滅し、垂直ゲートの存在を後方及び側方に報せ追突を防止する。改めて開閉可能な垂直ゲートを閉めると、ゲート１は立ち上りランプは消灯する。
【０００８】
【考案の効果】
本考案によればトラックの追突事故を防止でき、安全で実用上の価値ある考案である。
【図面の簡単な説明】
【図１】車体走行時の側面図。
【図２】車体停止時にランプを点滅させた状態の側面図。
【符号の説明】
Ａ　　　車体
１　　　垂直ゲート
２　　　開閉ゲート
３　　　ランプ
【図１】
0003096827.tif 000003
【図２】
0003096827.tif 000004
【手続補正書】
【提出日】平成15年5月16日(2003.5.16)
【手続補正１】
【補正対象書類名】明細書
【補正対象項目名】全文
【補正方法】変更
【補正の内容】
【考案の詳細な説明】
【実用新案登録請求の範囲】
【請求項１】ランプ（３）を先端に取付け、基部に前記ランプ（３）を操作する点滅装置（２）を固定したゲート（１）を備え、ゲート（１）の下端部を車体（Ａ）の背面に枢着して、枢着部を支点にゲート（１）を開閉可能に設置したトラックの追突防止警報装置。
【考案の詳細な説明】
【０００１】
【考案の属する技術分野】
本考案はトラック後端のゲートに後方及び側方から追突する事故を未然に防止することを目的に提案した追突防止警報装置に関するものである。
【０００２】
光源を後方及び側方に配置することにより、後方及び側方の警報を可能にした装置である。
【０００３】
【従来の技術】
従来は後方警報装置であったが、後方及び側方の警報を可能にした装置は見当らない。
【０００４】
【考案が解決しようとする課題】
本考案の課題は、トラックの後端のゲートに警報装置を設備し、後方及び側方からの追突を未然に防止する装置を得ること、又１２Ｖ車・２４Ｖ車の車輌全てに使用可能にしたものを提供することにある。
【０００５】
【課題を解決するための手段】
本考案の手段は次のとおりである。
【０００６】
ランプを先端に取付け、基部に前記ランプを操作する点滅装置を固定したゲートを備え、ゲートの下端部を車体の背面に枢着して、枢着部を支点にゲートを開平可能に設置したこと。
【０００７】
【考案の実施の形態】
図１・図２は本考案の装置を示し、１は後方に設けた開閉可能なゲートで、先端にランプ３を固定し、角度検出器内蔵点滅装置２を設けて接続することにより、ゲートを閉じた状態で消灯し、開いた状態で点滅する。車体Ａが所定の場所に停止し、開閉可能なゲート１を図２のように開くとランプ３は昼夜の別なく点滅し、ゲートの存在を後方及び側方に報せ追突を防止する。点滅装置２によりゲートを閉めると、ゲート１は立ち上りランプは消灯する。
【０００８】
【考案の効果】
本考案によればトラックの追突事故を防止でき、安全である。
【図面の簡単な説明】
【図１】車体走行時の側面図。
【図２】車体停止時にランプを点滅させた状態の側面図。
【符号の説明】
Ａ　　　車体
１　　　ゲート
２　　　点滅装置
３　　　ランプ